(57)【要約】【課題】光の出射範囲を複数の範囲に分けてシーンに合わせた種々の視覚効果を付与可能でありながら一体感のある照明装置を提供する。【解決手段】(A)それぞれが独立して点灯・消灯を切り替え可能な複数の発光部３０，３２と、(B)それら発光部３０，３２を収容し、(a)乗物室に向かって光を出射する光出射部４２と(b)光出射部４２に対向する箇所に設けられて光を反射する光反射部４４とを有する発光部収容体４０と、を備えさせ、光反射部４４を、複数の谷部４４ｂ，４４ｃと山部４４ａとを有して光出射部４２に向かって膨らんだ山谷形状とするとともに、自身の光出射部４２側の頂を結ぶ稜線Ｌが、光出射部４２に当接するあるいは光出射部４２の近傍に位置する構成とし、複数の発光部３０，３２を複数の谷部４４ｂ，４４ｃにそれぞれ配する。【選択図】図３
2019202635.tif 000002
【特許請求の範囲】
【請求項１】
乗物用内装材に設けられた乗物用照明装置であって、
それぞれが独立して点灯・消灯を切り替え可能な複数の発光部と、
複数の前記発光部を収容し、乗物室に向かって光を出射する光出射部と、前記光出射部に対向する箇所に設けられて光を反射する光反射部とを有する発光部収容体と、
を備え、
前記光反射部が、複数の谷部と山部とを有して前記光出射部に向かって膨らんだ山谷形状とされるとともに、自身の前記光出射部側の頂を結ぶ稜線が、前記光出射部に当接する、あるいは、前記光出射部の近傍に位置する構成とされ、
複数の前記発光部が、複数の前記谷部にそれぞれ配された乗物用照明装置。
【請求項２】
前記光反射部の前記稜線が、前記光出射部に当接する構成とされた請求項１に記載の乗物用照明装置。
【請求項３】
前記光反射部の前記稜線が、前記光出射部に当接せずに前記光出射部の近傍に位置する構成とされた請求項１に記載の乗物用照明装置。
【請求項４】
前記光出射部は、前記光反射部側の面に、凹凸を有するとともに、光を透過ないし反射するハーフミラー層が形成されたものである請求項１から請求項３のいずれか１項に記載の乗物用照明装置。
【請求項５】
前記光反射部は、
前記稜線が直線的に延びるものとされ、前記稜線から両側に傾斜して延びる２つの傾斜面を有するとともに、前記２つの傾斜面の各々の前記稜線と反対側の端辺側に前記稜線と平行に延びる２本の前記谷部を有しており、
当該乗物用照明装置が、前記発光部を２つ備え、それら２つの前記発光部が２本の前記谷部にそれぞれ配された請求項１から請求項４のいずれか１項に記載の乗物用照明装置。
【請求項６】
２つの前記発光部の各々が、
光源と、
前記谷部に沿って延びる長手状をなし、長手方向における一端から前記光源の光が入射され、その入射された前記光源からの光を導光しつつ発光する導光体と、
を備えた請求項５に記載の乗物用照明装置。
【請求項７】
前記乗物用内装材が、車両のサイドドアの車室内面を構成するドアトリムであり、
前記稜線が、車両前後方向に延びるものとされ、
２つの前記発光部の各々が、前記稜線の上方側と下方側とにそれぞれ配された請求項５または請求項６に記載の乗物用照明装置。
【請求項８】
前記光出射部が、乗物室内側かつ下方側に向く第１光出射面と、乗物室内側かつ上方側に向く第２光出射面とを有する請求項７に記載の乗物用照明装置。
【請求項９】
前記光出射部は、乗物室内側の面である光出射面が平面状に形成されたものである請求項１から請求項７のいずれか１項に記載の乗物用照明装置。
【発明の詳細な説明】
【技術分野】
【０００１】
本発明は、乗物用照明装置に関する。
【背景技術】
【０００２】
下記特許文献１には、車両の内装材に設けられた乗物用照明装置が記載されている。その乗物用照明装置は、半透明レンズの背後に複数の表示層を設けた積層型透明照明装置である。詳しく言えば、下記特許文献１に記載の乗物用照明装置は、ハウジングと、そのハウジング内に収容されてそれぞれが表示を有する透明光学素子からなる複数の層と、それら複数の層の各々に連結された複数の光源と、を備え、複数の層の各々を選択的に点灯させることで、それら複数の層の各々に形成された表示を組み合わせて、種々の視覚効果を創出することが可能なものとなっている。
【先行技術文献】
【特許文献】
【０００３】
【特許文献１】特表２０１７−５０６１８０号公報
【発明の概要】
【発明が解決しようとする課題】
【０００４】
上記特許文献１に記載の乗物用照明装置は、平たく言えば、それぞれが光源と透明光学素子とからなる複数の照明装置を平面的に重ねて利用することで、種々の視覚効果を付与することが可能なものであった。一方で、ある範囲を部分的に点灯・消灯させることで種々の視覚効果を付与したいとの要望もあり、複数の照明装置を利用し、ある平面状に複数の照明装置の各々の出射範囲を定めれば、その要望に容易に応えられる。しかしながら、単に、複数の照明装置を乗物用内装材に設けただけでは、乗物用内装材の意匠面としては、比較的煩雑なものとなってしまう虞がある。
【０００５】
本発明は、そのような実情に鑑みてなされたものであり、光の出射範囲を複数の範囲に分けてシーンに合わせた種々の視覚効果を付与可能でありながら一体感のある照明装置を提供することを課題とする。
【課題を解決するための手段】
【０００６】
上記課題を解決するために本発明の乗物用照明装置は、
乗物用内装材に設けられた乗物用照明装置であって、
それぞれが独立して点灯・消灯を切り替え可能な複数の発光部と、
複数の前記発光部を収容し、乗物室に向かって光を出射する光出射部と、前記光出射部に対向する箇所に設けられて光を反射する光反射部とを有する発光部収容体と、
を備え、
前記光反射部が、複数の谷部と山部とを有して前記光出射部に向かって膨らんだ山谷形状とされるとともに、自身の前記光出射部側の頂を結ぶ稜線が、前記光出射部に当接する、あるいは、前記光出射部の近傍に位置する構成とされ、
複数の前記発光部が、複数の前記谷部にそれぞれ配されたことを特徴とする。
【０００７】
このように構成された乗物用照明装置は、発光部収容体の内部が光反射部の山谷形状によって複数の範囲に分けられており、それら複数の範囲ごとに対応する発光部の点灯・消灯を切り替えることで、種々の視覚効果を得ることができる。なお、この構成の乗物用照明装置は、乗物室外側に位置する光反射部が山谷形状とされることで、発光部収容体の内部が仕切られているため、発光部ごとの光の出射範囲の境界の存在感が弱くされている。さらに言えば、この構成の乗物用照明装置は、発光部収容体の内部を光反射部に壁等を立設するようにして仕切った場合に比較して、光の出射範囲の境界の存在感をより一層弱くすること、換言すれば、光の出射範囲の境界の存在感をほぼなくすことが可能であり、光出射部を複数の出射範囲に分け、各範囲の点灯・消灯を切り替えることで、シーンに合わせた視覚効果を付与することができるにも拘らず、照明装置としては一体感のあるものとなっている。
【０００８】
この構成の乗物用照明装置において、複数の発光部は２つ以上あればよい。また、稜線の形状は、直線、曲線、それらの複合など、乗物用内装材に合わせて、自由に設定することが可能である。さらに、発光部は、その形状、材質、色等は特に限定されず、種々のものを採用可能であり、複数の発光部の各々を、互いに異なるものとしてもよい。
【０００９】
上記構成において、前記光反射部の前記稜線が、前記光出射部に当接する構成とすることができる。あるいは、上記構成において、前記光反射部の前記稜線が、前記光出射部に当接せずに前記光出射部の近傍に位置する構成とすることもできる。
【００１０】
前者のように構成された乗物用照明装置によれば、光の出射範囲を明確に分割することができる。一方、後者のように構成された乗物用照明装置においては、稜線と光出射部との隙間から、隣接する出射範囲側に僅かに光を漏れさせることができるため、光の出射範囲の境界付近をぼやかしたように点灯させることができる。
【００１１】
上記構成において、前記光出射部は、前記光反射部側の面に、凹凸を有するとともに、光を透過ないし反射するハーフミラー層が形成されたものであるとすることができる。
【００１２】
このように構成された乗物用照明装置は、凹凸形状およびハーフミラー層が形成された光出射部と、光反射部とが、合わせ鏡のように機能し、立体的で奥行き感のある視覚的効果を生じさせることができる。
【００１３】
上記構成において、前記光反射部は、前記稜線が直線的に延びるものとされ、前記稜線から両側に傾斜して延びる２つの傾斜面を有するとともに、前記２つの傾斜面の各々の前記稜線と反対側の端辺側に前記稜線と平行に延びる２本の前記谷部を有しており、当該乗物用照明装置が、前記発光部を２つ備え、それら２つの前記発光部が２本の前記谷部にそれぞれ配された構成とすることができる。
【００１４】
このように構成された乗物用照明装置は、光出射部の点灯範囲が２分割されたものである。この構成の乗物用照明装置は、例えば、左右方向、上下方向、斜め方向に分割した構成とすることができる。
【００１５】
前記稜線が直線的に延びる態様において、２つの前記発光部の各々が、光源と、前記谷部に沿って延びる長手状をなし、長手方向における一端から前記光源の光が入射され、その入射された前記光源からの光を導光しつつ発光する導光体と、を備えた構成とすることができる。
【００１６】
この構成の乗物用照明装置は、発光部の構成が特定されており、例えば、光源をハウジング外に設け、導光体をハウジング外から内部に挿入して延設する構成とすることができる。そのような構成とすれば、ハウジング内にムラなく光を入れることができる。
【００１７】
また、上述した稜線が直線的に延びる態様において、前記乗物用内装材が、車両のサイドドアの車室内面を構成するドアトリムであり、前記稜線が、車両前後方向に延びるものとされ、２つの前記発光部の各々が、前記稜線の上方側と下方側とにそれぞれ配された構成とすることができる。
【００１８】
このように構成された乗物用照明装置は、第１発光部と第２発光部との点灯・消灯を変更することで、車両の走行状態や乗員の乗降時等、シーンに合わせた種々の視覚効果を付与することができる。また、運転者や乗員に対して側方から効果的に視覚的な刺激を付与することができるため、例えば、緊急時等の注意喚起等に用いることも可能である。
【００１９】
上述した乗物用内装材がドアトリムとされた態様において、前記光出射部が、乗物室内側かつ下方側に向く第１光出射面と、乗物室内側かつ上方側に向く第２光出射面とを有するものとすることができる。
【００２０】
このように構成された乗物用照明装置において、第２光出射面から出射される光は、上方側に向かって出射されるため、乗員の視界に入り易い。したがって、この構成の乗物用照明装置は、例えば、緊急時等の注意喚起等に、第２光出射面に対応する発光部を消灯させた状態から点灯させた状態とすることで、乗員に対して視覚的刺激を効果的に付与することができる。また、第１光出射面から出射される光は、下方側に向かって出射されるため、車両への乗降時に足元を照らすように構成することができる。
【００２１】
上記構成において、前記光出射部は、乗物室内側の面である光出射面が平面状に形成されたものとすることができる。
【００２２】
このように構成された乗物用照明装置は、乗物室内からは平面状に見えるにも拘らず、各発光部に対応する光の出射範囲が分けられており、それら発光部の境界の存在感を、より一層なくし、より一体感のある照明装置となる。
【発明の効果】
【００２３】
本発明によれば、光の出射範囲を複数の範囲に分けてシーンに合わせた種々の視覚効果を付与可能でありながら一体感のある照明装置を提供することができる。
【図面の簡単な説明】
【００２４】
【図１】本発明の実施例の乗物用照明装置を搭載した車両を車室内からの視点において示す図である。
【図２】図１に示した乗物用照明装置および表示装置を拡大して示す図であり、通常走行時の一例を示す図である。
【図３】図１に示した乗物用照明装置を車両後方側からの視点において示す断面図である。
【図４】図２に示した通常走行時における光の進行を模式的に示す図である。
【図５】緊急時における乗物用照明装置および表示装置を車室内からの視点において示す図である。
【図６】図５に示した緊急時おける光の進行を模式的に示す図である。
【図７】第１実施例の変形例の乗物用照明装置を車両後方側からの視点において示す断面図である。
【図８】第２実施例の乗物用照明装置を車両後方側からの視点において示す断面図である。
【図９】第３実施例の乗物用照明装置を車両後方側からの視点において示す断面図である。
【発明を実施するための形態】
【００２５】
以下、本発明を実施するための形態として、本発明のいくつかの実施例を、図を参照しつつ詳しく説明する。なお、本発明は、下記の実施例に限定されるものではなく、当業者の知識に基づいて種々の変更、改良を施した種々の態様で実施することができる。
【実施例１】
【００２６】
本発明の第１実施例の乗物用照明装置１０を搭載した車両を、図１に、車室内からの視点において示している。本乗物用照明装置１０は、サイドドア１２の車室内面を構成する乗物用内装材としてのドアトリム１４に設けられている。サイドドア１２は、運転席側（車幅方向右側）と助手席側（車幅方向左側）とにそれぞれ設けられ、車両前方側の概して上下方向に延びる回動軸を中心として回動することで、開閉可能な構成とされている。サイドドア１２の上部には、ウインドウ１６が設けられている。本乗物用照明装置１０は、運転席側のサイドドア１２と助手席側のサイドドア１２との両者に設けられている。それら２つの乗物用照明装置１０は、同様の構成であるため、以下の説明においては、運転席側のサイドドア１２を代表して説明することとする。
【００２７】
ドアトリム１４は、図１に示すように、ウインドウ１６の下方に配されており、概して矩形状の本体部１４ａと、その本体部１４ａの上方において車両前後方向に延びて前端部が車両前方側かつ車室内側に向かって延び出した延出部１４ｂとを、含んで構成されている。その延出部１４ｂは、車両前方に向かうにつれて湾曲した形状をなし、その湾曲した部分が車室内側に向かって延び出している。そして、その延出部１４ｂは、図１に示すように、フロントピラー１８の基部付近まで延び出して、先端部が、インストゥルメントパネル２０と重なるように配されている。
【００２８】
延出部１４ｂには、本乗物用照明装置１０および表示装置２２（詳しく言えば、その一部）が設けられている。次に、図２〜図５を参照しつつ、それら乗物用照明装置１０および表示装置２２について説明する。なお、各図において、車両前方および車両後方をＦＲおよびＲＲの矢印でそれぞれ示し、車両上方および車両下方をＵＰおよびＤＷの矢印でそれぞれ示し、車室内側（乗物室内側）および車室外側（乗物室外側）をＩＮおよびＯＵＴの矢印でそれぞれ示す。
【００２９】
まず、表示装置２２は、簡単に説明するが、いわゆるリアプロジェクションタイプの表示装置である。表示装置２２は、延出部１４ｂに設けられた透過型スクリーン２４と、映像光をその透過型スクリーン２４に向けて投射する投射ユニット（図示省略）と、を含んで構成される。表示装置２２は、例えば、図２に示すように、車両の後方側の視界を表示することで、電子サイドミラーとして用いることや、図５に示すように、予め記憶された映像データをもとに、注意喚起表示やイルミネーション表示等を表示することが可能とされている。
【００３０】
次に、本発明の乗物用照明装置１０について詳しく説明する。本乗物用照明装置１０は、図２に示すように、独立して点灯・消灯可能な２つの発光部である第１発光部３０および第２発光部３２を備えている。それら第１発光部３０および第２発光部３２は、同じ構成のものであり、光源３０ａ，３２ａと、導光棒（導光体）３０ｂ，３２ｂとを含んで構成される。
【００３１】
２つの発光部３０，３２は、それぞれ点灯状態を制御可能なものとなっている。具体的には、光源３０ａ，３２ａが、例えば、照度や光色等を一定範囲で変更可能なＬＥＤを主体として構成されており、点灯・消灯を切り替え可能とされるとともに、点灯時においては、相対的に明るい高照度から暗い低照度の範囲で段階的に照度を変更可能とされている。また、光源３０ａ，３２ａは、それぞれ発光色が赤、緑および青のＬＥＤ素子を有し、各発光色の混合比により光色を変更することも可能とされている。
【００３２】
導光棒３０ｂ，３２ｂは、長手状の導光材料によって構成されている。導光材料とは、ほぼ透明で光を透過させる合成樹脂材料であり、本実施例では、アクリル樹脂である。導光棒３０ｂ，３２ｂは、長手方向における一端が光源３０ａ，３２ａと対向した状態で配され、その一端から光源３０ａ，３２ａの光が入射される。そして、導光棒３０ｂ，３２ｂは、入射された光が、内部で全反射を繰り返して導光されつつ、導光される光の一部が外周面から出射されるように構成されている。ちなみに、発光部は、上記導光棒３０ｂ，３２ｂのような導光体を有するものに限定されず、光源もＬＥＤに限定されず、種々のタイプのものを採用可能である。
【００３３】
本乗物用照明装置１０は、第１発光部３０の導光棒３０ｂと第２発光部３２の導光棒３２ｂとを内部に収容する発光部収容体としてのハウジング４０を備えている。ハウジング４０は、図２に示すように、平面視で長方形状のものであり、ドアトリム１４を構成するボード部材に固定されて、ハウジング４０の一面が、延出部１４ｂの車室内面の一部を形成している。ハウジング４０は、図３に示すように、自身の車室内側の部分を構成し延出部１４ｂの車室内面を形成する第１ハウジング部材４２と、その第１ハウジング部材４２に対向して配され自身の車室外側の部分を構成する第２ハウジング部材４４とからなる。そして、上述した第１発光部３０の導光棒３０ｂが、ハウジング４０の下端側に沿って配されるとともに、第２発光部３２の導光棒３２ｂが、ハウジング４０の上端部に沿って配されている。
【００３４】
第１ハウジング部材４２は、透光性の高い合成樹脂（例えば、アクリル、ＰＥＴ、ポリカーボネイト）からなり、第１発光部３０と第２発光部３２との光を車室内に向かって透過可能なものである。つまり、第１ハウジング部材４２は、光出射部として機能するものとなっている。ちなみに、本実施例においては、第１ハウジング部材４２は、ポリカーボネイトからなる。なお、この第１ハウジング部材４２は、表示装置２２の透過型スクリーン２４と一体的に成形されてもよい。一方、第２ハウジング部材４４は、車室内側の、第１ハウジング部材４２と対向する面に、光を鏡面反射する反射層４６が形成さており、光を第１ハウジング部材４２に向かって反射する光反射部として機能するものとなっている。その反射層４６は、アルミニウム等の金属膜からなり、例えば、基材の表面に蒸着によって成膜されている。以下の説明において、第１ハウジング部材４２を、レンズ部材４２と呼び、第２ハウジング部材４４を、反射部材４４と呼ぶこととする。
【００３５】
反射部材４４は、図３に示すように、底面の形状が、車両前後方向における断面がくの字形状のものとされ、レンズ部材４２に向かって膨らんだ山谷形状とされている。詳しく言えば、反射部材４４は、上下方向における中央に山部４４ａを有するものとなっており、上下方向における中央に前後方向にその山部４４ａの頂を結ぶ線が延びている、つまり、上下方向における中央に前後方向に延びる稜線Ｌが形成されている。
【００３６】
また、反射部材４４は、その稜線Ｌの下方側および上方側に稜線Ｌと平行に延びる２本の谷部４４ｂ，４４ｃを有するものとなっている。換言すれば、反射部材４４は、稜線Ｌから、車室外側かつ下方側、および、車室外側かつ上方側に向かって傾斜する傾斜面４４ｄ，４４ｅを有し、その傾斜面４４ｄ，４４ｅの稜線Ｌとは反対側の端辺側に２本の谷部４４ｂ，４４ｃを有していると考えることもできる。そして、前述した第１発光部３０の導光棒３０ｂが、下方側の谷部４４ｂに沿って配されるとともに、第２発光部３２の導光棒３２ｂが、上方側の谷部４４ｃに沿って配されているのである。
【００３７】
図３に示すように、反射部材４４の稜線Ｌは、レンズ部材４２の内面（車室外側面）４２ｂに当接している。つまり、ハウジング４０の内部は、反射部材４４が山谷形状とされていることによって、上下に仕切られている。つまり、ハウジング４０の内部には、２つの空間である下側空間ＳＤＷと上側空間ＳＵＰとが形成されている。そして、下側空間ＳＤＷが、第１発光部３０によって点灯・消灯させられ、上側空間ＳＵＰが、第２発光部３２によって点灯・消灯させられるように構成されている。つまり、それら下側空間ＳＤＷと上側空間ＳＵＰとは、独立して点灯・消灯させられる構成とされているのである。換言すれば、レンズ部材４２は、車室内側の面である光出射面４２ａが平面形状とされているが、第１発光部３０の光が、光出射面４２ａの下側半分である第１光出射面４２ａ１からのみ出射し、第２発光部３２の光が、光出射面４２ａの上側半分である第２光出射面４２ａ２からのみ出射するように構成されているのである。
【００３８】
レンズ部材４２は、図３に示すように、車室内側の面である光出射面４２ａが平面形状であるのに対して、車室外側の面（反射部材４４側の面）４２ｂが凹凸形状とされている。簡単に説明するが、その車室外側面４２ｂは、底面が菱形の四角錘形状の凹所がほぼ隙間なく形成されたような凹凸形状（いわゆる、ダイヤカット）とされている。ちなみに、レンズ部材４２の車室外側面４２ｂは、稜線Ｌに沿う箇所のみ凹所が形成されておらず、上下方向における中央に稜線Ｌを当接させる被当接部４２ｂ１が形成されている。また、その凹凸形状とされた車室外側面４２ｂには、光を透過ないし反射するハーフミラー層５０が形成されている。なお、本乗物用照明装置１０においては、ハーフミラー層５０は、透過率が５％程度となるアルミニウム等の金属膜であり、例えば、スパッタリングによって基材の表面に成膜されている。本乗物用照明装置１０は、この透過率の低いレンズ部材４２の存在によって、ハウジング４０内の２つの発光部３０，３２を乗員がほぼ視認できないように構成されるとともに、凹凸形状をデザインとして乗員に視認させることが可能となっている。
【００３９】
本乗物用照明装置１０は、以上のような構成により、反射部材４４の反射層４６が、レンズ部材４２のハーフミラー層５０との間で反射された光の虚像を乗員に視認させるような構成となっている。この虚像は、ハーフミラー層５０で反射される回数に応じて複数結像され、合わせ鏡で見られる像のように、反射回数に応じて小さくなり、奥行き感のある連続した像となる。つまり、本乗物用照明装置１０は、立体的で奥行き感のある視覚的効果を生じさせることが可能となっているのである。
【００４０】
なお、本乗物用照明装置１０は、前述したように、第１発光部３０と第２発光部３２との各々を独立して制御することで、第１光出射面４２ａ１と第２光出射面４２ａ２との各々からの光を独立して制御することが可能に構成されている。つまり、本乗物用照明装置１０は、第１光出射面４２ａ１と第２光出射面４２ａ２との各々からの光を制御することで、シーンに合わせた視覚効果を付与することができる。つまり、本乗物用照明装置１０は、シーンに合わせた視覚効果を付与することができるにも拘らず、光出射面４２ａが平面上に形成されて、照明装置として一体感のあるものとなっているのである。また、本実施例の乗物用照明装置１０は、反射部材４４の稜線Ｌがレンズ部材４２の車室外側面４２ｂに当接する構成とされており、第１発光部３０の点灯範囲と第２発光部３２の点灯範囲とを明確に分けることが可能となっている。
【００４１】
以下に、シーンに合わせた視覚効果のいくつかの例を、簡単に説明する。例えば、通常の車両走行時において、図３および図５に示すように、第２発光部３２を消灯して第１発光部３０を点灯し、下側半分の第１光出射面４２ａ１からのみ光を出射させるようにして、乗員の視界に入りにくい加飾照明として用いることができる。ちなみに、その場合には、表示装置２２は、サイドミラーとして機能している。
【００４２】
また、その第１発光部３０のみを点灯させた状態から、図５および図６に示すように、第２発光部３２をも点灯させて、光出射面４２ａ全面から光を出射させるようにすることで、緊急時等に乗員へ視覚刺激を付与することができ、緊急時等の注意喚起を行うようにすることもできる。ちなみに、その場合には、表示装置２２は、アラート表示を行っている。なお、通常の走行時において、第１発光部３０と第２発光部３２との両者を同じ明るさで点灯させておき、緊急時に第２発光部３２の光を明るくすることで、乗員へ視覚刺激を付与することも可能である。
【００４３】
さらに、車両走行時に第１発光部３０のみを点灯させて、車両を停車させている場合に、第１発光部３０と第２発光部３２との両者を点灯させるようにすることで、走行時と停車時との加飾照明を異なるものとすることもできる。なお、本乗物用照明装置１０は、上述した態様以外にも、種々の態様で利用することが可能である。
【００４４】
＜変形例＞
上記実施例の変形例の乗物用照明装置７０を、図７に示す。上記実施例の乗物用照明装置１０は、反射部材４４の稜線Ｌが上下方向における中央に前後方向に延びるように形成されていたが、本変形例の乗物用照明装置７０においては反射部材７２の稜線Ｌ´が、上下方向における中央より上側よりに形成されている。つまり、本変形例の乗物用照明装置７０においては、レンズ部材７４における稜線Ｌ´より下側の第１光出射面７４ａが、稜線Ｌ´より上側の第２光出射面７４ｂより、上下方向の幅が大きくされているのである。
【実施例２】
【００４５】
第２実施例の乗物用照明装置８０の断面図を図８に示す。第２実施例の乗物用照明装置８０は、第１実施例の乗物用照明装置１０と、ほぼ同様の構成であるため、第１実施例の乗物用照明装置１０と同じ構成要素のものついては、同じ符号を用い、その説明は簡便に行うあるいは省略するものとする。
【００４６】
第２実施例の乗物用照明装置８０は、第１実施例の乗物用照明装置１０とは、レンズ部材８２の形状が、第１実施例におけるレンズ部材４２の形状と異なる。詳しく言えば、レンズ部材４２の車室外側面４２ｂには、反射部材４４の稜線Ｌを当接させる被当接部４２ｂ１が設けられていたが、第２実施例におけるレンズ部材８２は、車室外側面８２ｂの前面に、底面菱形の四角錘形状の凹所が形成されており、被当接部は設けられていない。つまり、第２実施例の乗物用照明装置８０においては、図８に示すように、反射部材４４の稜線Ｌが、レンズ部材８２の車室外側面８２ｂの近傍に位置しており、そのレンズ部材８２の車室外側面８２ｂとの間に僅かに隙間が設けられているのである。
【００４７】
第２実施例の乗物用照明装置８０においては、第１発光部３０と第２発光部３２との一方のみを点灯させた場合において、他方に対応する出射面からも僅かに光が漏れることになるのである。例えば、図８に示すように、第１発光部３０のみを点灯させた場合には、その第１発光部３０に対応するレンズ部材８２の第１光出射面８２ａ１からだけでなく、第２光出射面８２ａ２の稜線Ｌに近い部分からも第１発光部３０の光が出射することになる。つまり、第２実施例の乗物用照明装置８０は、第１発光部３０と第２発光部３２との一方のみを点灯させた場合に、第１発光部３０による点灯範囲と、第２発光部３２による点灯範囲との境界付近をぼやかすことができる。
【実施例３】
【００４８】
第３実施例の乗物用照明装置９０の断面図を図９に示す。第３実施例の乗物用照明装置９０は、第１実施例の乗物用照明装置１０と、ほぼ同様の構成であるため、第１実施例の乗物用照明装置１０と同じ構成要素のものついては、同じ符号を用い、その説明は簡便に行うあるいは省略するものとする。
【００４９】
第３実施例の乗物用照明装置９０は、第１実施例の乗物用照明装置１０とは、乗員から見た外観が異なるものなっている。具体的には、第１実施例の乗物用照明装置１０は、外観が平面状（光射出面４２ａが平面状）であったのに対して、第３実施例の乗物用照明装置９０は、上下方向における中央部が車室内側に向けて膨出するような立体的な形状となっている。第３実施例の乗物用照明装置９０は、まず、レンズ部材９２が、車両前後方向における断面がくの字形状のものとされることで、上下方向における中央部が車室内側に向かって膨出した形状となっている。つまり、レンズ部材９２は、下側に位置する第１光出射面９２ａ１が、鉛直方向に対して下方を向くように傾斜する面とされるとともに、第２光出射面９２ａ２が、鉛直方向に対して上方を向くように傾斜する面とされる。ちなみに、反射部材９４は、第１実施例における反射部材４４と同様の形状のものであり、上下方向における中央に前後方向に延びる稜線Ｌが形成されたものである。そして、その稜線Ｌが、レンズ部材９２の車室外側面９２ｂに形成された被当接部９２ｂ１に当接するように構成されている。つまり、第３実施例の乗物用照明装置９０は、第１発光部３０の光が第１光出射面９２ａ１から車室内側かつ下方に向けて出射されるとともに、第２発光部３２の光が第２光出射面９２ａ２から車室内側かつ上方に向けて出射される。
【００５０】
第３実施例の乗物用照明装置９０においては、上方側に向かって出射される第２光出射面９２ａ２からの光が、乗員の視界に入り易い。したがって、第３実施例の乗物用照明装置９０は、例えば、緊急時等の注意喚起等において、第２発光部３２を消灯させた状態から点灯させた状態とすることで、乗員に対して視覚的刺激を効果的に付与することができる。また、第１光出射面９２ａ１から出射される光は、下方側に向かって出射されるため、乗員の車両への乗降時に足元を照らすように構成することができる。
【００５１】
＜他の実施例＞
上記実施例の乗物用照明装置においては、上下に２つの点灯範囲に分割されていたが、左右や、斜め方向にも分割してもよい。また、稜線が直線的に延びるものとされていたが、それに限定されない。稜線は、途中で折れた形状とされてもよく、曲線とされてもよい。また、上記実施例の乗物用照明装置においては、反射部材が２つの谷部を有するものとされるとともに、それら２つの谷部に対応する２つの発光部を備えるものとされていたが、反射部材が３つ以上の谷部を有するものとされてもよく、乗物用照明装置が３つ以上の発光部を備えていてもよい。なお、１つの谷部に対して、１つの発光部である必要はなく、２以上の発光部が配されていてもよい。
【００５２】
本乗物用照明装置は、乗物用内装材に合わせて点灯範囲を複数に分割し、反射部材を、その分割した境界に合わせた稜線を有する形状のものとすることで、容易に、点灯範囲を複数に分割しつつ、照明装置としては一体感のあるものとすることができる。
【符号の説明】
【００５３】
１０…乗物用照明装置、１２…サイドドア、１４…ドアトリム、３０…第１発光部、３０ａ…光源、３０ｂ…導光棒〔導光体〕、３２…第２発光部、３２ａ…光源、３２ｂ…導光棒〔導光体〕、４０…ハウジング〔発光部収容体〕、４２…第１ハウジング部材（レンズ部材）〔光出射部〕、４２ａ…光出射面、４４…第２ハウジング部材（反射部材）〔光反射部〕、４４ａ…山部、４４ｂ，４４ｃ…谷部、４４ｄ，４４ｅ…傾斜面、４６…反射層、５０…ハーフミラー層、Ｌ…稜線、７０…乗物用照明装置（変形例）、７２…反射部材、７４…レンズ部材、Ｌ´…稜線、８０…乗物用照明装置（第２実施例）、８２…レンズ部材、９０…乗物用照明装置（第３実施例）、９２…レンズ部材、９２ａ１…第１光出射面、９２ａ２…第２光出射面、９４…反射部材
【図１】
2019202635.tif 000003
【図２】
2019202635.tif 000004
【図３】
2019202635.tif 000005
【図４】
2019202635.tif 000006
【図５】
2019202635.tif 000007
【図６】
2019202635.tif 000008
【図７】
2019202635.tif 000009
【図８】
2019202635.tif 000010
【図９】
2019202635.tif 000011